(57)【特許請求の範囲】
【請求項１】
少なくとも一側を浮遊物の誘引口として水面よりも低く開口し内部を流入浮遊物及び呑み込み水の流入通路とする固定式のトラフと、同トラフの前記誘引口近くに配され水面を境に上下運動をする堰と、この堰を上下少なくとも一方向に作動させる駆動手段とを備え、同駆動手段は、支点を介して上下に揺動可能なアームと、同アームに設けられ内部に液入れ空間を有するとともに液体の供給により下降力を発生して前記堰を作動させ液体を排出する口を通じて前記供給された液体を排出して下降力を解除する液タンクとを備える浮遊物除去装置であって、前記液タンクは、その内部空間が仕切り板により前後に仕切られ、アームの揺動に応じて仕切り板を越えて前記液体を排出する口のある空間に液体が導入されるようになっていることを特徴とする浮遊物除去装置。
【請求項２】
少なくとも一側を浮遊物の誘引口として水面よりも低く開口し内部を流入浮遊物及び呑み込み水の流入通路とする固定式のトラフと、同トラフの前記誘引口近くに配され水面を境に上下運動をする堰と、この堰を上下少なくとも一方向に作動させる駆動手段とを備え、同駆動手段は、支点を介して上下に揺動可能なアームと、同アームに設けられ内部に液入れ空間を有するとともに液体の供給により下降力を発生して前記堰を作動させ液体を排出する口を通じて前記供給された液体を排出して下降力を解除する液タンクとを備える浮遊物除去装置であって、前記アームは、液タンクへの液体の供給路を兼ねていることを特徴とする浮遊物除去装置。
【請求項３】
少なくとも一側を浮遊物の誘引口として水面よりも低く開口し内部を流入浮遊物及び呑み込み水の流入通路とする固定式のトラフと、同トラフの前記誘引口近くに配され水面を境に上下運動をする堰と、この堰を上下少なくとも一方向に作動させる駆動手段とを備え、同駆動手段は、支点を介して支持され前記堰とともに上下に揺動可能なアームを備え、前記堰は、それ自体の内部に液入れ空間を有し同空間に液体を供給することにより前記堰を下降させる一方液体を排出する口を通じて前記供給された液体を排出するように構成されていることを特徴とする浮遊物除去装置。
【請求項４】
少なくとも一側を浮遊物の誘引口として水面よりも低く開口し内部を流入浮遊物及び呑み込み水の流入通路とする固定式のトラフと、同トラフの前記誘引口近くに配され水面を境に上下運動をする堰と、この堰を上下少なくとも一方向に作動させる駆動手段とを備え、同駆動手段は、支点を介して上下に揺動可能なアームと、同アームに設けられ内部に液入れ空間を有するとともに液体の供給により下降力を発生して前記堰を作動させ液体を排出する口を通じて前記供給された液体を排出して下降力を解除する液タンクとを備える浮遊物除去装置であって、液体の供給・停止を切り換える手段として、沈澱池内で循環駆動されるフライト式汚泥掻寄装置のフライトに連動する機構が構成されている浮遊物除去装置。
【請求項５】
請求項１から４までのいずれかにおいて、液タンクへの途中の配管は、トラフ内の空間を通じて設けられている浮遊物除去装置。
【請求項６】
請求項１から５までのいずれかに記載のものにおいて、液体を排出する口は、上部のオーバフロー口と下部の微排出口とで構成されるとともに、オーバフロー口は、その開口が下方に至るに従って狭くなる階段状の切欠口になっている浮遊物除去装置。
【発明の詳細な説明】
【０００１】
【産業上の利用分野】
この発明は、沈澱池などにおける水面上の浮遊物を誘引・除去し結果として水浄化の促進に寄与する浮遊物除去装置に関する。
【０００２】
【従来の技術】
最初あるいは最終沈澱池などにおいては、その水面上に浮遊物（スカム）が滞留し、これが浄化処理の妨げになるため、これらの浮遊物を逐次除去するようにしている。
【０００３】
【発明が解決しようとする課題】
ところで、これまでの浮遊物除去装置は、横長状で誘引口を開口した円筒形のパイプスキーマーを沈澱池内に回転可能に設置し、同スキーマーを軸中心まわりに一方向に回転させることで水とともに浮遊物を呑み込みようにする一方で、逆方向へ回転復帰させることで堰き止め状態を得るように構成していた。
【０００４】
その後、本出願人は、独自の浮遊物除去装置を提案した。同装置は、池内に固定式で設置されたトラフと、同トラフの前側に上下運動可能に設けられた堰とを備え、同堰を、池内で運動するフライトに連動して浮沈させるようにしたものである。この装置によれば、フライトに連動させる方式であるので、それ自体は無動力であり、確実な作動が保証されるものとして有効である。
【０００５】
しかし、この装置は、トラフの前方位置に沈澱池の幅方向に延びる回転軸を備え、この回転軸から反トラフの方向にアームを延ばして運動してくるフライトに接触して持ち上げられるようにするとともに、回転軸からトラフの方向に別のアームを延ばして堰を押さえるように構成してある。
【０００６】
このものは簡易な装置ではあるが、実施してみると、堰つきトラフはもとよりであるが、その他に、前記アームつき回転軸を設計製作・運搬・設置・調整等をする必要があるとともに、反トラフ方向に延びるアームの先端にカム板を取り付けて、同カム板をフライト側のローラとの間で当たり調整などをする必要がある。これらのことは、コストアップの原因になるとともに、施工も複雑化していた。
【０００７】
そこで、本出願人は、さらに簡易な浮遊物除去装置を提供すべく鋭意努力を重ねた。
この発明は前記課題を解決するためになされたもので、さらなる簡易化が達成されてコストの低減が図れるとともに施工や調整も非常に簡単になるとともに、設置後の作動の確実・円滑化も達成される浮遊物除去装置を提供することを目的とする。
【０００８】
【課題を解決するための手段】
前記課題を解決するため、請求項１記載の発明は、少なくとも一側を浮遊物の誘引口として水面よりも低く開口し内部を流入浮遊物及び呑み込み水の流入通路とする固定式のトラフと、同トラフの前記誘引口近くに配され水面を境に上下運動をする堰と、この堰を上下少なくとも一方向に作動させる駆動手段とを備え、同駆動手段は、支点を介して上下に揺動可能なアームと、同アームに設けられ内部に液入れ空間を有するとともに液体の供給により下降力を発生して前記堰を作動させ液体を排出する口を通じて前記供給された液体を排出して下降力を解除する液タンクとを備える浮遊物除去装置であって、前記液タンクは、その内部空間が仕切り板により前後に仕切られ、アームの揺動に応じて仕切り板を越えて前記液体を排出する口のある空間に液体が導入されるようになっていることを特徴とする。
請求項２記載の発明は、少なくとも一側を浮遊物の誘引口として水面よりも低く開口し内部を流入浮遊物及び呑み込み水の流入通路とする固定式のトラフと、同トラフの前記誘引口近くに配され水面を境に上下運動をする堰と、この堰を上下少なくとも一方向に作動させる駆動手段とを備え、同駆動手段は、支点を介して上下に揺動可能なアームと、同アームに設けられ内部に液入れ空間を有するとともに液体の供給により下降力を発生して前記堰を作動させ液体を排出する口を通じて前記供給された液体を排出して下降力を解除する液タンクとを備える浮遊物除去装置であって、前記アームは、液タンクへの液体の供給路を兼ねていることを特徴とする。
請求項３記載の発明は、少なくとも一側を浮遊物の誘引口として水面よりも低く開口し内部を流入浮遊物及び呑み込み水の流入通路とする固定式のトラフと、同トラフの前記誘引口近くに配され水面を境に上下運動をする堰と、この堰を上下少なくとも一方向に作動させる駆動手段とを備え、同駆動手段は、支点を介して支持され前記堰とともに上下に揺動可能なアームを備え、前記堰は、それ自体の内部に液入れ空間を有し同空間に液体を供給することにより前記堰を下降させる一方液体を排出する口を通じて前記供給された液体を排出するように構成されていることを特徴とする。
請求項４記載の発明は、少なくとも一側を浮遊物の誘引口として水面よりも低く開口し内部を流入浮遊物及び呑み込み水の流入通路とする固定式のトラフと、同トラフの前記誘引口近くに配され水面を境に上下運動をする堰と、この堰を上下少なくとも一方向に作動させる駆動手段とを備え、同駆動手段は、支点を介して上下に揺動可能なアームと、同アームに設けられ内部に液入れ空間を有するとともに液体の供給により下降力を発生して前記堰を作動させ液体を排出する口を通じて前記供給された液体を排出して下降力を解除する液タンクとを備える浮遊物除去装置であって、液体の供給・停止を切り換える手段として、沈澱池内で循環駆動されるフライト式汚泥掻寄装置のフライトに連動する機構が構成されている。
請求項５記載の発明は、請求項１から４までのいずれかにおいて、液タンクへの途中の配管は、トラフ内の空間を通じて設けられている。
請求項６記載の発明は、請求項１から５までのいずれかに記載のものにおいて、液体を排出する口は、上部のオーバフロー口と下部の微排出口とで構成されるとともに、オーバフロー口は、その開口が下方に至るに従って狭くなる階段状の切欠口になっている。
【０００９】
【作用】
少なくとも一側を浮遊物の誘引口として水面よりも低く開口し内部を流入浮遊物及び呑み込み水の流入通路とする固定式のトラフと、同トラフの前記誘引口近くに配され水面を境に上下運動をする堰と、この堰を上下少なくとも一方向に作動させる駆動手段とを備え、水面に浮遊する浮遊物を回収・除去する装置であって、前記駆動手段は、液体が供給されることで下降力を発生して前記堰を少なくとも一方向に作動させるとともに液体の排出も可能とされた液入れ空間を備えていることを特徴とするので、供給される液体の重さを駆動力とすることにより、従来のように、２本のアームつき回転軸が全く不要になり、設計製作・運搬・設置・調整等が簡略化されるとともに、前記のように、反トラフ方向に延びるアームの先端にカム板を取り付けて、同カム板をフライト側のローラとの間で当たり調整などをする必要もなく、これらのことは、コストダウンにつながるとともに、施工も非常に簡単になる。
【００１０】
【実施例】
以下、図示した実施例を参照してこの発明を詳細に説明する。
図１は、この発明の一実施例を示している。この実施例において、１は沈澱池の側壁で、沈澱池の端部付近を示し、同側壁１は、対向する一方のものを示してる。両側壁１，１には、はつり作業により連通路（連通パイプ）２が形成されるとともに、両側壁１，１間には、図示されないアングル等の取付ブラケットを介して長尺状のトラフ３が固定設置されている。
【００１１】
このトラフ３は、図示のように、コの字形でその開口を上に向けたものであり、底壁４、前壁５、後壁６を備え、前壁５の上端には前方に水平に突出する前突片７が設けられているとともに、後壁６にも後突片８が設けられている。前突片７は、水面１０より低く設定され、後突片８は水面１０より高く設定されている。
【００１２】
トラフ３の両端部には、開口１１を有する端板１２がそれぞれ一体に固着され、この端板１２の開口１１が前記連通路２に合致するようにしてトラフ３が固定される。この固定は、連通路２側の端板とトラフ３側の端板１２とをボルト結合することでなされる。前記前突片７の上には、長尺状でゴム製の前面シール１３が固着され、この前面シール１３の前上方には、同シール１３に接触して前方からの水の浸入を阻止するようにして回転軸１４が設けられている。この回転軸１４は、その両端を前記端板１２の図示しない裏面に固定した軸受に回転自在に支持されている。
【００１３】
この回転軸１４には、中空状の堰（フロート）１５が固着され、一体に回転して水面１０を境に上下に揺動運動をするようになっている。この堰１５の両端には、側板１６が固着されており、同側板１６の図示する一方のものには、トラフ３の長手方向に向く軸１７が取り付けられている。この軸１７には、下ジョイント１８を介して上下方向に向くロッド１９が取り付けられている。
【００１４】
対向する１対の端板１２のうち図示する一方の端板１２の内面側には、軸２１が突出し、この軸２１を介して取り付けられたボス２２には、前アーム２３と後アーム２４が揺動可能に伸びている。後アーム２４には前後に移動調節可能にバランサ２５が取り付けられている一方、前アーム２３の端部には、水タンクである液タンク２６が取り付けられている。
【００１５】
液タンク２６は円筒休で、その端部には、上部にオーバフロー口２７が半月状に開口するとともに、その下部には、オーバフロー口２７に連続して縦スリット状の微排出口２８が形成されている。オーバフロー口２７は、供給された水が過剰である時にその過剰分を先に排水するためのものであり、また、微排出口２８は、残る水を一定量ずつ徐々に排出して押し下げモーメントを軽くするためのものである。
【００１６】
そして、トラフ３内には、他の沈澱池内に設けられるトラフ内にも通じる給水通管３０が通され、同管３０から供給ホース３１を通じて液タンク２６内に水が供給されるようになっている。また、前アーム２３の中間には、ブラケット３２が突設され、これに取り付けられた軸３３を介して前記ロッド１９が上下調節可能に取り付けられている。
【００１７】
軸３３まわりには上ジョイント３６が取り付けられ、同ジョイント３６に開けられた穴を通じて上下１対の調整座３７，３８がロッド１９に昇降調整可能に螺合している。この調整座３７，３８は、ロッド１９に対して独立して上下調整することができるので、これらの座３７，３８間の間隔及びそれぞれの高さなどを自在に調整することで、後で説明する堰１５の押し下げ始めのタイミングやそのストローク等を設置する沈澱池に見合うように調整できるのである。また、水位の変動にも座３７，３８間の遊び間隔で対応できる。
【００１８】
さらに、前記液タンク２６の下側には、吊りロッド３４が設けられ、このロッド３４を介して水位追従型下限フロート３５が吊り下げられている。このフロート３５は、液タンク２６とともに下がって水面１０上にくる時、水面１０に浮かんでそれ以上の下降動作を規制するためのものである。同フロート３５は、水位の変動に追従して、水位が低ければ液タンク２６を低く下がるまで下降を許し水位が高ければ液タンク２６を余り下げないようにする。従って、堰１５の下降限度もこのフロート３５の水位追従作動により規定される。
【００１９】
尚、軸２１は、他の箇所、例えば、後突片８上に取り付けてもよい。また、堰１５は、上下揺動式であるが、垂直に上下する方式でもよい。さらに、トラフ３は丸形等他の幾何学形状にしてもよい。前記実施例では、トラフ３をアングル等により側壁１に取り付けたが、連通路２内に挿通した短管の端にこのトラフ３を取り付けるようにしてもよい。また、前記実施例では、液タンク２６やアーム２３等の駆動手段をトラフ３の一方に設けたが、これらはトラフ３の両端に設けたり、トラフ３の中央のみに設けてもよい。さらに、前記実施例では、液タンク２６への水の供給はそれ専用の配管によったが、例えば、図２に示すように、軸２１に回転ジョイント３９を接続して供給ホース３１からの水が筒状の前アーム２３内を通じて液タンク２６内に水を供給できる方式にしてもよい。また、前記実施例では、堰１５が中空形で浮上運動するようにしてあったが、同堰１５は、例えば、板状のもので浮上能力はなく専らバランサ２５により復帰するように構成してもよい。
【００２０】
この浮遊物除去装置の作用を説明すると、図１においては、液タンク２６内の水が完全に排出されてバランサ２５の押し下げ力と堰１５の浮上力により堰１５が水面に浮上した様子を示している。沈澱池内に設けられた越流堰内に回転水車を配してその回転力をポンプ力として給水通管３０に水を流すようにするとともにリリーフ弁で不要水を排除するようにしてある。
【００２１】
この供給水は、給水通管３０及び供給ホース３１を通じて水タンク２６内に水が供給されるが、この水は、図示しないバルブで供給と停止され、供給の時、水タンク２６内に導かれた水は、液タンク２６を押し下げて堰１５を水面下にやや大きく下げ、大きなスカムＳをもトラフ３内に誘引する。液タンク２６内の過剰な水はオーバフロー口２７を通じて余剰分が排出される。これにより、液タンク２６はやや軽くなってバランサ２５は少し下げられるとともに堰１５が水面下にあって少し浮上し、これで、水面１０上の中小のスカムＳ…が水とともにトラフ３内に誘引される。
【００２２】
これらのスカムＳ…および水は、トラフ３内を通じて流れ、次のトラフ内やそれに続くトラフ内を通り集水ピット内を経由して排出される。この誘引は、前記バルブが閉止されたあと、微排出口２８より水が徐々に排出される間続き、次第に液タンク２６は浮上してくる。この際、堰１５は浮力が作用し、バランサ２５もその重さで浮上力として作用することで、堰１５は浮上しスカムＳの誘引は停止する。尚、前記バルブの開閉は、例えば、後述するフライト連動によりなされる。図１の連通路２には、それより上流側からのスカム及び水が流れてくる。
【００２３】
また、図２に示すように、液タンク２６内には、前後の仕切板４０を立設し、前アーム２３からの水が矢印のように後側の液入れ空間に入り込んでのち、一定量溜まってその重さで前アーム２３が下がることにより同空間から仕切板４０を越えて前側の空間内に流れ込むように構成することがある。
【００２４】
こうすると、前側の空間に水が流れ込む時、アーム２３基端からのアーム長さが長くなることで、下げモーメントが大きくなって堰１５を大きく押し下げ、これにより大きなスカムＳを誘引することができるようになる。そのあと液タンク２６の微排出口から水が排除されることで、堰１５が浮き勝ちになり、通常大きさのスカムＳをも誘引するようになる。さらには、堰１５は浮上する。このことから、堰１５は一旦は水面より少し下がり、そのあと大きく下がり、さらに少し浮き上がって浮上することになる。尚、前記仕切板は、前後に２枚以上配してもよい。残り水はそれぞれ排水口より排出する。
【００２５】
また、図２において、アーム２３側の空間内に残る水は図示しない排水口より排除する。さらに、液タンク２６に付される下限フロート３５は、底面に開口した微排出口４１を着水により開くようにしてもよい。
【００２６】
また、図３に示すように、ポンプ４３で給水通管３０に導くようにしてもよいが、ポンプ４４から給水される他の液タンク４５から水を導くようにしてもよい。この場合、越流堰４６内に駆動水車４７を設け、同水車４７の回転力でポンプ４６を駆動することで給水可能にしてもよい。
【００２７】
さらに、図４に示すように、液タンク２６内に１段の仕切板４９を配し、同仕切板４９の上を流入水が越えるようにすると同時に通孔５０からも前側の空間に水が導かれるようにしてある。後の空間内の水は、側孔５１から外部に排除されるとともに、前側の空間に流入した水は、下方に向けて次第に開口度を小さくしたオーバフロー口５２を通じて余剰のものが排出されるとともに、調整板５３つきの微排出口５４を通じて徐々に内部水が排出される構造になっている。
【００２８】
次に他の実施例を図５から図１３を参照しながら説明する。
この実施例は、１池２水路型の沈澱池においてのもので、同沈澱池の各水路内には、図５および図８に示すように、４軸駆動式のフライト式汚泥及びスカム掻寄装置６０が構成されている。この点は、前記実施例（図１から図４）においても同様である。同装置６０は、３軸駆動式にしてもよい。
【００２９】
前記掻寄装置６０は、底壁に各１対の底部ガイドレール６１が敷設され、その上をフライト６２がチェーン６３により駆動されたあと、上まわりで上部ガイドレール６４による案内で水面６５に沿って運動する。フライト６２は、中継ガイドレール６６に沿って案内されたあと、再び下部ガイドレール６１上に至る。フライト６２は、底部において沈澱した汚泥を図示しないピット側に掻き寄せるとともに、水面６５上に浮かぶスカムをこの発明にかかる浮遊物除去装置（後述）の方向に掻き寄せる。
【００３０】
前記フライト６２の一側には、その背面にブラケットを介して横軸が設けられ、同横軸の先端まわりに遊転式の蹴り手段である樹脂製ローラ６７がフライト６２よりその側方に突出して設けられている。このローラ６７は、多数のフライト６２のうちの１つあるいは数個置きの所望のもの、または全てのものに取り付けられる。同ローラ６７は、上まわりにきて水平に進行するところで、図５に示す駆動レバー７０を蹴る。
【００３１】
同レバー７０は、沈澱池の対向する箇所にそれぞれ設けられた横軸７１により揺動可能にかつバネ等により復帰自在に支持されており、このレバー７０がローラ６７とともに揺動することでワイヤーロープ７２あるいはロッドが引かれるようになっている。ワイヤーロープ７２の各先端には、他の応動レバー７３が揺動可能に結合されている。
【００３２】
応動レバー７３は、切換バルブ７４を連動させ、つまり、ローラ６７で駆動レバー７０が蹴られる時、同バルブ７４は徐々に開いて全開になり、駆動レバー７０が復帰する時、同バルブ７４は閉止する。バルプ開により、前記実施例でも説明した方式で供給される水は、供給管７５およびそれに接続されたフレキシブルな通管７６を通じて浮遊物除去装置に導かれる。その後の経路は後述する。
【００３３】
一方、浮遊物除去装置は次のように構成されている。
すなわち、図７および図８に示す８０は沈澱池の相対向する側壁で、それぞれには端部プラケット８１が固定されているとともに、沈澱池の幅間に設けられた支柱８２の前面にも中央ブラケット８３が前方に延びるようにして固定されている。端部ブラケット８１には、前後２本のアジャスタ８４を介して端部支持枠８５が取り付けられている。
【００３４】
端部支持枠８５は、図６から図１０に示すように、略Ｕ字形をした受部８５ａと、この受部８５ａの内側端外周に突出状に固着された略Ｕ字形をした内側フランジ８５ｂとを備えるとともに、同フランジ８５ｂの外側面にはボルト８５ｃが上下２か所に突設されている。また、同フランジ８５ｂの内側面には、２枚からなるシールセット板８５ｄが前後に離して縦向きに固着されている。
【００３５】
前記ボルト８５ｃを介して長孔付の調整板８６が取り付けられるとともに、同板８６に設けられたボルト８６ａを介して軸受８７が取り付けられている。従って、軸受８７は、斜め前後方向に移動調節可能とされている。また、前記シールセット板８５ｄの２枚間には、スポンジあるいはゴムなどによる側面シール８８が内方に突出するようにして装着されている。
【００３６】
尚、端部枠８５のうち図７の左側のものの外側面には、図９および図１０に示すように、ボルト８９ａを備える蓋板８９が固着されてボルト８９ａに基部が取り付けられた流入規制板９０が先端が側壁８０に接触するようにされる一方、図７の右側のものの外側面には、図７および図８に示すように、外端フランジ９１が取り付けられて側壁８０のはつり孔に挿通支持された連通管９２のフランジにボルトで接合されている。
【００３７】
前記中央ブラケット８３には、図７、図８、図１１、図１２に示すように、左右対称形をした中間支持枠９５，９５がボルト９６により背中合わせに接合して底部のアジャスタ８４を介して高さ調節自在に取り付けられている。中間支持枠９５は、略Ｕ字形をした受部９５ａと、この受部９５ａの一端部外周全体にわたるように突出状に固着された結合フランジ９５ｂとを備えるとともに、同フランジ９５ｂの外側面にはボルト９５ｃが上下２か所に突設されている。また、同フランジ９５ｂの一側面には、２枚からなるシールセット板９５ｄが前後に離して縦向きに固着されている。
【００３８】
前記ボルト９５ｃを介して長孔付の調整板８６が取り付けられるとともに、同板８６に設けられたボルト９６ａを介して軸受８７が取り付けられている。従って、軸受８７は、斜め前後方向に移動調節可能とされている。また、前記シールセット板９５ｄの２枚間には、スポンジあるいはゴムなどによる側面シール８８が内方に突出するようにして装着されている。そして、前記結合フランジ９５ｂ同志をボルト９６で結合してある。
【００３９】
図５ないし図１２における９８はトラフであり、同トラフ９８は、この沈澱池において左右１対配されている。トラフ９８は、底板部９８ａ、前板部９８ｂ、後板部９８ｃ、上フランジ部９８ｄからなり、断面が直角辺部でその前部に斜め上がり状の前板部９８ｃが設けられたもので、前板部９８ｃの上端が水面６５より数十ｃｍ下方にあるように設定されている。これらのトラフ９８の各一端は前記受部８５ａ，９５ａに上方から嵌め込まれてボルト９９で止め付けられている。
【００４０】
ここにおいて、左右のトラフ９８，９８は、図８では共に水平状に示されているが、実際には、左から右側に至るにしたがってその底板部９８ａが右に微小に下がるように全体が調整され、スカムおよび水が右方向に流れて図８のスカムピット１００内に流れ込みやすくしてある。その調整は、前記アジャスタ８４の高さ調節や調整板８６の長孔による遊び調節等によりなされる。
【００４１】
図６、図１１に示すように、トラフ９８の前側には、前板部９８ｂを挟むようにして上板１０２及び下板１０３がボルト１０４で取り付けられており、これらの間には、対向する側面シール８８，８８間にわたるようにしてゴムあるいはスボンジなどの弾性材料による長尺状の前面シール１０５が挟み固定されている。このシール１０５の前側には、基部が丸形で先端が角形をした中空で偏平な堰１０７が上下揺動可能に取り付けられている。
【００４２】
堰１０７の両端には、側板１０８が取り付けられて同堰１０７が完全閉止状とされるとともに、図６および図１０に示すように、側板１０８から堰１０７の端部内に挿通されるようにして回転軸１０９が各トラフ毎に１対ずつ固着されている。この回転軸１０９は、座１１０を介して溶接部１１１により内部端が固着される一方、軸他端は側板１０８から突出状とされて前記軸受８７に回転自在に支持されている。
【００４３】
各側板１０８の外側面には、トラフ９８の両端にあるように扇形のシール側板１１３がボルト１１４で取り付けられ、このシール側板１１３の外面が前記側面シール８８にそれぞれ接触しながら前方からのスカムおよび水の浸入を阻止するようになっている。
【００４４】
一方、各端部支持枠８５の上側には、図６ないし図１０に示すように、Ｕ字形の架台１２０がボルト止めされ、この架台１２０を介して左右１対の支持板１２１が上方に突出して取り付けられている。支持板１２１の上部には、図１０に示すように、前アーム１２２および後アーム１２３の間に固着された支点たる回転筒１２４が挿通され、同筒１２４の一端は蓋１２５で閉止される一方、他端には前記通管７６が接続される通水パイプ１２６が水封式に挿通されている。尚、この通水パイプ１２６は保持板１２７で支持されている。
【００４５】
後アーム１２３には、バランサ１２９が移動用ボルト１３１で前後に移動調節可能とされるとともに止めボルト１３０で固定可能とされている。尚、後アーム１２３と回転筒１２４とは仕切状態とされる一方、前アーム１２２は回転筒１２４に通水可能に連通している。前アーム１２２の中間上部には、図９に示すように、ブラケット１３２が突出し、同ブラケット１３２により上部ジョイント１３３が遊転可能に取り付けられている。一方、側板１０８には、図１３に示すように、下部ジョイント１３４が取り付けられている。
【００４６】
１３５は連動ロッドで、ネジ軸の上端に調整ナット１３９を備えたもので、同連動ロッド１３５の下端部には、ボルト１３６により筒体１３７が止め付けられるとともに、同筒体１３７の下端に挿通された縦軸１３８は、下部ジョイント１３４に溶接される一方、筒体１３７には相対回転自在になっている。
【００４７】
連動ロッド１３５の上部外周には、上座１４０と下座１４１がナット１４２で上下調整可能に取り付けられている。上座１４０と下座１４１は、ナット１４２を回すことで上下の間隔だけでなくそれぞれの高さを個別に調節でき、調節後には、ピン１４３で相対回転不能に固定される。従って、上下の座１４０，１４１の位置調節により上部ジョイント１３３が各座１４０，１４１に当たるタイミングを変更することができ、これが、沈澱池の条件に合わせて好適な状態で堰１０７を作動させることができる。
【００４８】
前アーム１２２の先端部には、図６に示すように、前後に複数の通しパイプ１５０が配列され、これらのパイプ１５０の中から択一して挿通軸１５１が通されることで液タンク１５２が取り付けられている。液タンク１５２の上面には、前アーム１２２に開けられた落水口１５３を通じての水が通過する孔１５４が形成されている。この液タンク１５２を図５の矢印Ｘ方向からみると図１４に示すようであり、その面には、オーバフロー口１５５が上部に開口されて角形切欠口１５６を備える上下動可能な調整板１５７で流出タイミングを調節可能である。また、同面の下部には、縦スリット状の微排出口１５８が形成されている。同微排出口１５８にも排出流量を制御する調整板１５９が上下調整可能に取り付けられている。
【００４９】
液タンク１５２の排水手段の他の例を図１５から図１７に示す。図１５の例は、オーバフロー口１６０を階段状で下向きに次第に狭い口となるように形成されている。同オーバフロー口１６０の最も下部には微排出口１６１が形成されている。図１６の例は、オーバフロー口１６２がＶ形でその下方に微排出口１６３が形成されている。図１７の例は、円弧状のオーバフロー口１６４が形成され、その下方が微排出口１６５になっている。１６６は回転する調整板である。
【００５０】
尚、液タンク１５２の下端には、発泡樹脂による下限フロート１６７が着脱自在に取り付けられている。
【００５１】
以上構成の浮遊物除去装置は、次のように作用する。
図５に示す状態はローラ６７が駆動レバー７０を蹴る前の状態である。この間、液タンク１５２は空であり、バランサ１２９の力と堰１０７の浮上力等により堰１０７は図６に示すようにその前端面が略水面レベルにあるようにされ、スカム及び水の流入が規制される。
切換バルブ７４は閉止しており、ローラ６７がレバー７０を蹴ることで、ワイヤーロープ７２を介して応動レバー７３を作動させ、バルブ７４を開き方向に作動させる。
【００５２】
これで、供給管７５及び通管７６、さらに通水パイプ１２６及び回転筒１２４を通じて前アーム１２２内に流れ込み、そして、落水口１５３と孔１５４を通じて液タンク１５２内に流れ込む。液タンク１５２内への水の流入に伴い連動ロッド１３５を介して堰１０７が大きく押さえ込まれて大きなスカムまでも水とともにトラフ９８内に誘引する。液タンク１５２の下降は、下限フロート１６７が着水することで一定に制限される。図１４のオーバフロー口１５５及び切欠口１５６を通じて過剰水が排除されると、堰１０７は多少浮いて通常のスカム呑み込みをする。その間、微排出口１５８から水が排出されており、この排出が進行すると、堰１０７が浮上して水面に浮かび、スカムの流入が阻止される。
【００５３】
スカム及び呑み込み水は、図１２の矢印のように一方のトラフ９８から隣のトラフ９８内に流れ込み、図８の連通管９２を通じてスカムピット１００内に流れ込み、次の処理設備に導かれる。
【００５４】
他の実施例を説明する。図１８は、液タンク１５２内への水の供給を図５のようなフライト連動方式でなく給水切換方式を採用したものである。すなわち、本給水ルート１７０上に切換バルブ１７１を備えてその弁軸にアーム１７２を取り付け、さらに、同アーム１７２の後端にバランサ１７３を、また前端にバルブ切換用タンク１７４を備えてある。同タンク１７４は、本給水ルート１７０から分岐し開閉バルブ１７５を備える分岐ルート１７６からの給水を受ける通孔１７７を上面に開口しているとともに、内部には斜め板状の仕切板１７８が所望高さに設けられ、かつタンク側壁には調整板１７９付の排水スリット１８０が形成されている。
【００５５】
同図に実線で示すようにタンク１７４が完全俳水により空状態になることでバランサ１７３が働き、アーム１７２は水平に復帰してその状態を維持する。この状態でバルブ１７１は閉じバルブ１７５は開いていることで、本給水ルート１７０には水が流れず分岐ルート１７６に水が流れる。これにより、タンク１７４の仕切板１７８手前空間には徐々に水が溜まり重くなって仮想線で示すようにタンク１７４側が下がってゆくとともに、内部の水は仕切板１７８を越えて前方の空間に流れ込む。
【００５６】
この時点で、バルブ１７４は開き本給水ルート１７０を通じて液タンク１５２内に水が供給されて下がり、堰１０７が水面下に没する。アーム１７２が一定に下がると、これをリミットスイッチ１８１で検出しバルブ１７５が閉じられる。スリット１８０から水が排出されると、タンク１７４は軽くなってアーム１７２が水平状態に戻され、それとともにバルブ１７１が閉止される。これにより、タンク１５２内への水の供給は停止するので、タンク１５２は空状態になり次第復帰する。アーム１７２が水平になると、バルブ１７５は開き、分岐ルート１７６を通じてタンク１７４内に水が供給され始める。以上の動作を繰り返す。尚、仕切板１７８の存在は、これを越えることで水の重さによる下げモーメントの増大が図れるようになって安定確実にバルブ１７１を連動させ得る。同仕切板１７８はなくともよいことがある。
【００５７】
図１９は他の実施例を示す。この実施例では、左右１対の側板１０８をより長く延ばして、その延出する左右間に円筒状（あるいは角筒状または樋状）の液タンク１８３を構成してその内部に水を供給することでその重さで堰１０７が沈むようにするとともに、端部に開けた排水口１８４を通じて水を排出することで堰１０７が浮上するように構成してある。そして、側板１０８あるいは堰Ｉ０７を取付側としてフロート１８５が取り付けられ、下降限を規定するようにしてある。尚、装置の上側には、同図に示すように、カバー１８６を備え付けて美観向上を図ることもある。
【００５８】
図２０ないし図２３は、堰１０７の駆動方式の他の実施例を示す。図２０に示す実施例は、アーム１９０の前端にバランサ１９１を、後端に液タンク１９２を備えて、堰１０７が、液タンク１９２が空になるとバランサ１９１で沈む一方、液タンク１９２に水が供給されるとその重さで堰１０７が浮上するようにしてある。この場合、堰１０７は、板状であるが、中空型でもよい。
【００５９】
図２１に示す実施例は、アーム１９０の前端に液タンク１９２を、また後端ニバランサ１９１を備えるとともに、堰１０７からトラフ９８内に向けて作動アーム１９３を延ばしてアーム１９０の支点より後側に連動可能に結合してある。同実施例の場合、液タンク１９２に水が供給されて下がると、作動アーム１９３を介して堰１０７が沈み、液タンク１９２が空になると、バランサ１９１等により堰１０７が浮上する。尚、前記実施例及び後述する実施例でも採用することがあるが、仮想線で示すように、液タンク１９２の底部をトラフ９８の向きに斜めに向くスカム寄せ面１９４を備えてもよい。
【００６０】
図２２に示す実施例は、アーム１９０の前後端に共に液タンク１９５を備え、これらの液タンク１９５は、交互に水が供給されるようになっているので、これにより、堰１０７が浮沈する。尚、液タンク１９５の形状は、球形あるいは図示のような立体楕円形にすることがある。また、同液タンク１９５の底部には、スカム寄せ板１９６を取り付けてもよい。
【００６１】
図２３に示す実施例は、堰１０７自体に液タンク１９７を形成し、同液タンク１９７の上部から水が供給されて堰１０７の底部を通じて排出されるようにしてある。尚、堰１０７は重量物としてある。
【００６２】
【発明の効果】
この発明は以上のように構成したものであるので、さらなる簡易化が達成される浮遊物除去装置を提供することができる。
【図面の簡単な説明】
【図１】この発明の一実施例である浮遊物除去装置の斜視図。
【図２】液タンクの具体的構造例を示す部分切欠側面図。
【図３】水供給手段の各種方式を示す模式図。
【図４】液タンクの他の実施例を示す斜視図。
【図５】他の実施例を示す浮遊物除去装置の縦側断面図。
【図６】同実施例の浮遊物除去装置の要部拡大側断面図。
【図７】同実施例の浮遊物除去装置の平面図。
【図８】同実施例の浮遊物除去装置の縦断正面図。
【図９】図７のＩＫ−ＩＫ線断面図。
【図１０】図９のＸ−Ｘ線断面図。
【図１１】図７のＸＩ−ＸＩ線断面図。
【図１２】図１１の平面図。
【図１３】堰の連動ロッド及びその調整機構を示す断面図。
【図１４】図６のＸ方向からの矢視図。
【図１５】液タンクの排水手段を示す正面図。
【図１６】液タンクの排水手段の他の実施例を示す正面図。
【図１７】液タンクの排水手段の他の実施例を示す正面図。
【図１８】液タンクへの給水切り換え手段の他の実施例を示す側面図。
【図１９】液タンクの他の構成例を示す斜視図。
【図２０】堰の浮沈方式の他の実施例を示す側面図。
【図２１】堰の浮沈方式の他の実施例を示す側面図。
【図２２】堰の浮沈方式の他の実施例を示す側面図。
【図２３】堰の浮沈方式の他の実施例を示す側面図。
【符号の説明】
３…トラフ、１０…水面、１５…堰、２３，２４…アーム、２６…液タンク、２７…オーバフロー口、２８…微排水口。
【図１】
0003726166.tif 000002
【図２】
0003726166.tif 000003
【図３】
0003726166.tif 000004
【図４】
0003726166.tif 000005
【図５】
0003726166.tif 000006
【図６】
0003726166.tif 000007
【図７】
0003726166.tif 000008
【図８】
0003726166.tif 000009
【図９】
0003726166.tif 000010
【図１０】
0003726166.tif 000011
【図１１】
0003726166.tif 000012
【図１２】
0003726166.tif 000013
【図１３】
0003726166.tif 000014
【図１４】
0003726166.tif 000015
【図１５】
0003726166.tif 000016
【図１６】
0003726166.tif 000017
【図１７】
0003726166.tif 000018
【図１８】
0003726166.tif 000019
【図１９】
0003726166.tif 000020
【図２０】
0003726166.tif 000021
【図２１】
0003726166.tif 000022
【図２２】
0003726166.tif 000023
【図２３】
0003726166.tif 000024